(57)【要約】【課題】ヨモギのアロマテラピー効果を長期間持続させることができる寝具、及び、現在使用している枕、布団の寝具等にアロマテラピー効果を付加することができる寝具カバーを提供する。【解決手段】枕１は、枕本体１０１と、枕本体１０１を短手方向に覆う筒状の枕カバー１０２により構成されている。枕本体１０１及び枕カバー１０２は綿布で形成されている。なお、枕カバー１０２は、枕本体１０１と分離可能である。枕本体１０１は袋状に形成されており、その中にヨモギペレット２１とそば殻２２を混合して内包して開口部を縫着している。内包するヨモギペレット２１とそば殻２２の配合比は、ヨモギペレット７に対し、そば殻３の割合である。【選択図】        図１
2005152041.tif 000002
【特許請求の範囲】
【請求項１】
ヨモギ単体またはヨモギを含んでペレットにしたヨモギペレット(21)を、通気性又は通香性を有し寝具として使用すべく形成された袋(101,512,522)に内包したことを特徴とする、
寝具。
【請求項２】
ヨモギ単体またはヨモギを含んでペレットにしたヨモギペレット(21)と、クッション性または／および保温性を有する部材(22,521,621)を、通気性又は通香性を有し寝具として使用すべく形成された袋(101,512,522)に内包したことを特徴とする、
寝具。
【請求項３】
請求項１または２記載の寝具は、枕(1)または／および布団(5)であることを特徴とする、
請求項１または２記載の寝具。
【請求項４】
通気性又は通香性を有する寝具カバー(3,6)であって、
該寝具カバー(3,6)は、ヨモギ単体またはヨモギを含んでペレットにしたヨモギペレット(21)を収める通気性又は通香性を有する収容体(2,23)を収容する収納部(303,611,621)が設けてあることを特徴とする、
寝具カバー。
【発明の詳細な説明】
【技術分野】
【０００１】
本発明は、ヨモギ単体またはヨモギを含んでペレットにしたヨモギペレット（以下「ヨモギペレット」と略する。）を内包する寝具及び寝具カバーに関する。
更に詳しくは、ヨモギのアロマテラピー効果を寝具に利用し、アロマテラピー効果の持続化を図ると共に寝具への利用がしやすいようにしたものに関する。
【背景技術】
【０００２】
現代はストレス社会と言われており、ストレスにより不眠症にかかる者、あるいは不眠症にまで至らなくても寝付きの悪さを訴える者が増加する傾向にある。このような症状を解消するための手段としては、寝酒を飲んだり、睡眠導入剤等の服用をあげることができる。これらの手段により症状が解消して睡眠が得られたとしても、アルコールや薬剤の常用摂取は必ずしも健康に良いとは言い難い。
【０００３】
近年、これらの不眠症あるいは睡眠障害の解消策として、アロマテラピー（アロマセラピーと呼ばれることもある）が見直されつつある。アロマテラピーとは、植物性、動物性の芳香を利用してリラックスを促進するものである。洋の東西を問わず古来からある民間療法の一種であるが、近年の研究により科学的にも効果が認められるものが多いことが判明している。
アロマテラピーは、植物等から抽出したエッセンシャルオイルを熱したり、線香を焚くなど火を使用することが多い。しかし、せっかく自然な形で眠りにつこうとしているところで、睡眠前に火の始末などを行うのは面倒である。また、火の始末を行っているうちに再度目が覚めてしまい、せっかくの効果を失わせるおそれもある。
【０００４】
そこで、下記特許文献１に示すように、これらアロマテラピー効果のあるオイルを染みこませたり、内包材にアロマテラピーによる安眠効果のある素材を混ぜたりした枕が提案されている。
【特許文献１】登録実用新案公報第３０６７４７１号
【発明の開示】
【発明が解決しようとする課題】
【０００５】
しかし、特許文献１にかかる枕は、クッション材に薬草類、例えば乾燥させたヨモギ等を内包しているだけであり、使用開始時には香りを発散する効果はあっても、効果の持続期間が短いという課題があった。
また、人によっては枕を替えると寝付けなくなる場合もあり、安眠のために新しい枕に取り替えた場合、それらの者は新しい枕に慣れるまでは寝付きにくくなる課題もあった。
【０００６】
一方、特許文献１にかかる枕に使用する内包材に混ぜる薬草として、上記のようにヨモギが挙げられている。キク科の多年草であるヨモギは、古来より洋の東西を問わず薬草として知られており、飲食用のみならず、その香りを利用してアロマテラピー効果を目的とした入浴剤等としても使われている。特許文献１に係る枕は、ヨモギの香りによるアロマテラピーによる安眠効果を利用している。
しかし、ヨモギを内包した特許文献１にかかる枕は、上記課題に加えて、単に乾燥させただけのヨモギを枕内部に大量に入れただけではクッション性が悪くなり、安眠を妨げるおそれもある。
【０００７】
他方、安眠を得るための要素としては、枕の他に布団も挙げられるが、枕の場合と同様に、単に乾燥させただけのヨモギを布団内部に大量に入れた場合クッション性に加えて保温性も悪くなり、安眠を妨げるおそれもある。
【０００８】
（発明の目的）
そこで、本発明の目的は、ヨモギのアロマテラピー効果を長期間持続させることができる寝具を提供することにある。
また、本発明の他の目的としては、現在使用している枕、布団の寝具等にアロマテラピー効果を付加することができる寝具カバーを提供することにある。
【課題を解決するための手段】
【０００９】
上記目的を達成するために講じた本発明の手段は次のとおりである。
第１の発明にあっては、
ヨモギ単体またはヨモギを含んでペレットにしたヨモギペレットを、通気性又は通香性を有し寝具として使用すべく形成された袋に内包したことを特徴とする、
寝具である。
【００１０】
第２の発明にあっては、
ヨモギ単体またはヨモギを含んでペレットにしたヨモギペレットと、クッション性または／および保温性を有する部材を、通気性又は通香性を有し寝具として使用すべく形成された袋に内包したことを特徴とする、
寝具である。
【００１１】
第３の発明にあっては、
第１または第２の発明に係る寝具は、枕または／および布団であることを特徴とする、
第１または第２の発明に係る寝具である。
【００１２】
第４の発明にあっては、
通気性又は通香性を有する寝具カバーであって、
該寝具カバーは、ヨモギ単体またはヨモギを含んでペレットにしたヨモギペレットを収める通気性又は通香性を有する収容体を収容する収納部が設けてあることを特徴とする、
寝具カバーである。
【００１３】
本明細書及び本特許請求の範囲にいう「ヨモギペレット」は、ヨモギを陰干しして水分を１０％程度になるまで乾燥させたものをそのまま、または切断し、あるいは粉末状にして、２０〜３０ｔの超高圧で圧縮し固めて、クッション内部に収めるのに好適な大きさにカットして作成したものが好適に使用されるが、これに限定するものではなく、例えば、ヨモギの乾燥粉末を接合剤によって適当な大きさに固めたものや、抽出したヨモギのエキスを固めたもの等であってもよい。また、ペレットの全部がヨモギであってもよいし、他の原料が配合されているものであってもよい。
【００１４】
本明細書及び本特許請求の範囲にいう「通気性又は通香性を有し寝具として使用すべく形成された袋」は、例えば、綿、絹、麻、ウール、レーヨン、アクリル繊維、ナイロン繊維、ポリエステル繊維等により形成された布地、不織布、和紙あるいはこれらを組み合わせたもの等を、枕、掛布団、敷布団用の寝具の形状に形成したものが好適に使用される。
【００１５】
本明細書及び本特許請求の範囲にいう「寝具」としては、一般的には枕や掛布団または／および敷布団等の夜具が挙げられるが、これに限定するものではなく、例えば、枕として使用するクッション、毛布、肩布団、寝袋、掻巻等の夜着等であってもよい。
【００１６】
本明細書及び本特許請求の範囲にいう「収容体」は、通気性又は通香性を有する部材によって形成された容器、例えば、綿、絹、麻、ウール、レーヨン、アクリル、ナイロン、ポリエステル、不織布、和紙等、あるいはこれらを組み合わせたものにより形成された柔軟性あるいは準剛性を有する容器が好適に使用される。
【００１７】
本明細書及び本特許請求の範囲にいう「クッション性を有する部材」は、例えば、そば殻、綿、羽毛、羊毛、ポリウレタンフォームのペレット等の素材、あるいはこれらの組み合わせたものが好適に使用される。
【００１８】
本明細書及び本特許請求の範囲にいう「保温性を有する部材」は、例えば、綿、羽毛、羊毛、ポリウレタンフォームのペレット等の素材、あるいはこれらの組み合わせたものが好適に使用される。
【００１９】
（作  用）
ヨモギペレットを内包する寝具を使用して床に着く。すると寝具内部からヨモギの香りが生じ、香りによるアロマテラピー効果によって心身の緊張がほぐされて、眠りにつきやすくなる。
【００２０】
また、寝具に寝具カバーを被せて、寝具カバーに設けられた収納部にヨモギペレット収容体を入れる。該寝具カバーを被せた寝具を使用して床に着く。すると寝具内部からヨモギの香りが生じ、香りによるアロマテラピー効果によって心身の緊張がほぐされて、眠りにつきやすくなる。
寝具カバーが汚れたときは、ヨモギペレット収容体を寝具カバーから取り出し寝具カバーを洗濯する。洗濯後に再度ヨモギペレット収容体を寝具カバーに収納する。このため、ヨモギペレットが濡れるのを防止することができる。
なお、ヨモギペレット収容体が発するヨモギの香りが弱くなったときは、ヨモギペレット収容体のみ新しいものに替えればよい。
【発明の効果】
【００２１】
本発明によれば、次の効果を奏する。
（１）ヨモギの香りによるアロマテラピー効果によって安眠効果が得られ、かつ、効果が長期間持続する寝具を提供することができる。ペレット状にしたヨモギを使用したことで、同体積の乾燥ヨモギに比して香りが長期間持続する。
（２）寝具のうち、ヨモギペレットとクッション性を有する部材を内包した枕は、ヨモギペレットのみのものよりクッション性が良く、頭部及び頸部と枕の密着感が向上するため、快適な睡眠を得るのに役立つ。また、ヨモギペレットとクッション性を有する部材の混合比を調節すれば香りの強さを調節することができる。
（３）寝具のうち、ヨモギペレットとクッション性を有する部材を内包した布団は、ヨモギペレットのみのものよりクッション性が良い。また、ヨモギペレットと保温性を有する部材を内包した布団は、ヨモギペレットのみのものより保温性が良いため、快適な睡眠を得るのに役立つ。
なお、ヨモギペレットとクッション性または保温性を有する部材の混合比を調節すれば香りの強さを調節することができる。
（４）本発明に係る寝具カバーを使用することにより、通常使用している枕、布団等の寝具にアロマテラピー効果を付加することができる。また、使い慣れた枕、布団等の寝具であれば、更に安眠効果の向上が図られる。更に、現在使用している布団を引き続き使用できるため、布団を買い換える必要が無くて済む。
また、寝具カバーを洗濯する際にヨモギペレット収容体を寝具カバーから取り出すことができるため、ヨモギペレットが濡れるのを防止することができる。
なお、ヨモギペレット収容体が発するヨモギの香りが弱くなったときは、ヨモギペレット収容体のみ新しいものに替えればよい。
【発明を実施するための最良の形態】
【００２２】
本発明の実施の形態を図面に基づき更に詳細に説明する。
図１は本発明に係る枕の一部を切り欠いた斜視説明図及び切欠部の拡大図、
図２は本発明に係る枕カバーの分解斜視説明図である。
【実施例１】
【００２３】
まず図１に示す枕１について説明する。
枕１は、枕本体１０１と、枕本体１０１を短手方向に覆う筒状の枕カバー１０２により構成されている。枕本体１０１及び枕カバー１０２は綿布で形成されている。なお、枕カバー１０２は、枕本体１０１と分離可能である。
【００２４】
枕本体１０１は袋状に形成されており、その中にヨモギペレット２１とそば殻２２を混合して内包して開口部を縫着している。
内包するヨモギペレット２１とそば殻２２の配合比は、ヨモギペレット７に対し、そば殻３の割合である。様々な配合比を試した結果、アロマテラピー効果を奏する程度にヨモギの香りが充分に強く、かつ、枕としての快適なクッション性を有する配合比としては、ヨモギペレット７に対しそば殻３の割合が好適であることがわかった。
【００２５】
本実施例では、ヨモギペレットとそば殻の配合比を７：３としたが、これに限定するものではなく、使用者が快適に使用できるような香りの強さ、クッション性に配合してもよい。
【００２６】
本実施例において、ヨモギペレット２１は、採取したヨモギの水分が１０％程度になるまで陰干しさせたものを、多数の小孔が形成された容器に入れ、２０〜３０ｔの超高圧で圧縮しながら押し出して形成している。当該ヨモギペレットは太さが約４ｍｍ、長さ約１ｃｍの棒状体に形成してある。
なお、ヨモギペレットの形状および大きさは上記のものに限定されるのではなく、クッション体に内包するのに好適な形状および大きさに形成すればよい。
【００２７】
（作  用）
図１を参照して、枕１の作用を説明する。
枕１を使用して床につけば、ヨモギペレット２１の発するヨモギの香りによるアロマテラピー効果により快適な睡眠を得ることができる。また、ヨモギをペレット状にすることにより香りが長期間持続するため、枕を長期間使用することができる。
なお、そば殻とヨモギペレットの配合比を変えることにより、ヨモギの香りを調整できる。また、そば殻の比率を増やすことによって頭部及び頸部と枕の密着感が向上するため、より高い安眠効果が得られる。
【実施例２】
【００２８】
次に図２に示す枕カバー３について説明する。
枕カバー３は綿製の袋状に形成されており、長手方向の両端にわたる開口部を一箇所に有している。開口部にはファスナー３０４が設けられている。
枕カバー本体３０１の内部は、両側に間仕切３０５が設けてある。
間仕切３０５は、枕カバー本体３０１内部の長手方向各端部近傍に形成され、短手方向に開口部から最奥部までの空間を仕切るよう形成されている。
間仕切３０５によって仕切られた空間のうち、長手方向端部近傍に設けられた各々の空間はヨモギペレット収容体収納部３０３を構成し、ヨモギペレット収容体収納部３０３の間に挟まれた空間は枕収納部３０２を構成する。
【００２９】
ヨモギペレット収容体２は袋状の不織布で形成され、ヨモギペレット収容体２内部にヨモギペレット２１を内包し、零れ出ないように開口部を閉じてある。
ヨモギペレット２１の内包量は、ヨモギペレット収容体２内部でヨモギペレット２１が遊動可能な量である。ヨモギペレット収容体２内部でヨモギペレット２１が遊動したほうが、香りが立ちやすい。
なお、香りの強さを調整するためにヨモギペレット収容体２にヨモギペレット２１以外のものを適宜混合してもよいが、ヨモギペレット２１の内包量が少ないと香りが弱くなるため、ヨモギペレット２１の割合を３０％以上にすることが望ましい。
【００３０】
なお、本実施例は枕カバー開口部の閉鎖手段としてファスナーを採用しているが、これに限定するものではなく、例えば、面ファスナーや綴じ紐等の一般的な技術が好適に使用される。
【００３１】
（作  用）
図２を参照して、枕カバー３の作用を説明する。
枕カバー本体３０１に設けられた開口部から、枕収納部３０２に枕４を、ヨモギペレット収容体収納部３０３にヨモギペレット収容体２を入れる。その後ファスナー３０４を閉じる。
枕カバー３を被せた枕を使用して床につけば、ヨモギペレット２１の発するヨモギの香りによるアロマテラピー効果により快適な睡眠を得ることができる。
【００３２】
なお、枕カバー３に入れる枕４は自分の好みの硬さ、高さ、材質のものを選択できる。例えば、枕カバー３を現在使用している枕に使用すれば、普段使い慣れた枕で就寝できるので違和感が軽減され、更にヨモギペレット２１が発するヨモギの香りによるアロマテラピー効果との相乗効果を生じ快適な睡眠を得ることができる。
ヨモギペレット収容体２内部にヨモギペレット２１以外のものを混合して配合することによりヨモギの香りが和らぐよう調整ができるため、ヨモギの香りが苦手な人も当該枕を使用しやすくなる。
【００３３】
前述の枕１と異なり、本実施例に係る枕カバー３は、ヨモギペレット収容体２を枕カバー３から取り出して枕カバー３を洗濯し、洗濯後に再度ヨモギペレット収容体２を枕カバー３に収納することができる。これにより、ヨモギペレットが濡れるのを防止することができる。
なお、ヨモギペレット収容体２が発するヨモギの香りが弱くなったときは、ヨモギペレット収容体２のみ新しいものに替えればよい。
【実施例３】
【００３４】
図３は本発明に係る布団の一部を切欠した斜視説明図及び切欠部の拡大図である。
図３に示す布団５は、掛布団５１０と、敷布団５２０を備えている。
掛布団５１０は、内容物を入れたときに所要の厚さになるように形成された長方形の綿布製袋５１２内部に、羽毛５１１中にヨモギペレット２１が散在するように混合したものを内包してある。
【００３５】
敷布団５２０は、内容物を入れたときに所要の厚さになるように形成された長方形の綿布製袋５２２内部に、中綿５２１中にヨモギペレット２１が散在するように混合したものが内包してある。
【００３６】
（作  用）
図３を参照して、布団５の作用を説明する。
布団５を使用して床につけば、ヨモギペレット２１が発するヨモギの香りによるアロマテラピー効果により快適な睡眠を得ることができる。
【実施例４】
【００３７】
図４は本発明に係る布団カバーの斜視説明図である。
図４に示す布団カバー６は綿製であり、掛布団カバー６１０と、敷布団カバー６２０を備えている。
【００３８】
掛布団カバー６１０は、長方形の袋状に形成されている。
掛布団カバー６１０長手方向に係る一方の縁部の両端近傍に、ポケット状に形成されたペレット収容体収納部６１１が両側に各１箇所ずつ形成されている。
図３中の拡大部に示すように、ヨモギペレット収容体収納部６１１の開口部近傍には面ファスナー６１２、６１３が設けられている。
なお、反対側に設けられているヨモギペレット収容体収納部６１１も同様の構造であるため、説明を省略する。
【００３９】
敷布団カバー６２０は、長方形の袋状に形成されている。
掛布団カバー６２０長手方向に係る一方の縁部の両端近傍には、ポケット状に形成されたヨモギペレット収容体収納部６２１が両側に各１箇所ずつ形成されている。
なお、ヨモギペレット収容体収納部６２１の構造は、前述のヨモギペレット収容体収納部６１１と同様であるため、説明を省略する。
【００４０】
ヨモギペレット収容体２３は扁平な形状に形成されているが、その構造、材質、内包物については前述のヨモギペレット収容体２とほぼ同様であるため、説明を省略する。
【００４１】
本実施例では、敷布団カバーは長方形の袋状に形成されているが、これに限定するものではなく、例えば、巾着状であってマットレス等に被せるよう形成されたいわゆるボックスシーツであってもよいし、平面な一枚の布を布団等の下に折り込んで使用するいわゆるフラットシーツ等であってもよい。
【００４２】
本実施例では、ヨモギペレット収容体収納部は布団カバーの外側に形成されているが、これに限定するものではなく、例えば、布団カバーの内側等の任意の場所に形成してもよい。
【００４３】
本実施例では、開口部の閉鎖手段として面ファスナーを採用しているが、これに限定するものではなく、例えば、ファスナーや綴じ紐等の一般的な技術が好適に使用される。
【００４４】
本実施例では布団カバーは掛布団または／および敷布団用であるが、これに限定するものではなく、例えば、毛布用のカバー等であってもよい。
【００４５】
（作  用）
図４を参照して、布団カバー６の作用を説明する。
掛布団カバー６１０および敷布団カバー６２０を掛布団および敷布団に被せる。
各布団カバーに設けられたヨモギペレット収容体収納部６１１、６２１の開口部からヨモギペレット収容体２３を収納する。収納後、面ファスナー６１２、６１３を合わせて開口部を閉じる。
なお、布団カバーは、好みに合わせて掛布団用、敷布団用のいずれか一方のみ使用してもよい。
【００４６】
布団カバー６を被せる掛布団及び敷布団は自分の好みの材質等のものを選択できる。例えば、現在使用している布団に布団カバー６を使用すれば、普段使い慣れた布団で就寝できるので違和感が軽減され、更にヨモギペレット２１が発するヨモギの香りによるアロマテラピー効果との相乗効果を生じ快適な睡眠を得ることができる。更に、現在使用している布団を引き続き使用できるため無駄が無い。
【００４７】
前述の布団５と異なり、本実施例に係る布団カバー６は、ヨモギペレット収容体２３を布団カバー６から取り出して布団カバー６を洗濯し、洗濯後に再度ヨモギペレット収容体２３を布団カバー６に収納することができる。これにより、ヨモギペレットが濡れるのを防止することができる。
なお、ヨモギペレット収容体２３が発するヨモギの香りが弱くなったときは、ヨモギペレット収容体２３のみ新しいものに替えればよい。
【００４８】
本実施例では、布団カバーは掛布団または／および敷布団用であるが、これに限定するものではなく、例えば、毛布等に用いるカバーであってもよい。
【００４９】
また、図３及び図４に示すように、枕１と布団５、あるいは、枕１と布団カバー６を使用した布団を組み合わせて使用することにより、より高いアロマテラピー効果を得ることができる。
【００５０】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【図面の簡単な説明】
【００５１】
【図１】本発明に係る枕の一部を切り欠いた斜視説明図及び切欠部の拡大図。
【図２】本発明に係る枕カバーの斜視説明図。
【図３】本発明に係る布団の一部を切欠した斜視説明図及び切欠部の拡大図。
【図４】本発明に係る布団カバーの分解斜視説明図。
【符号の説明】
【００５２】
１      枕
１０１  枕本体
１０２  枕カバー
２      ヨモギペレット収容体
２１    ヨモギペレット
２２    そば殻
２３    ヨモギペレット収容体
３      枕カバー
３０１  枕カバー本体
３０２  枕収納部
３０３  ヨモギペレット収容体収納部
３０４  ファスナー
３０５  間仕切
４      枕
５      布団
５１０  羽毛掛布団
５１１  羽毛
５１２  袋
５２０  綿敷布団
５２１  中綿
５２２  袋
６      布団カバー
６１０  掛布団カバー
６１１  ヨモギペレット収容体収納部
６１２  面ファスナー
６１３  面ファスナー
６２０  敷布団カバー
６２１  ヨモギペレット収容体収納部
【図１】
2005152041.tif 000003
【図２】
2005152041.tif 000004
【図３】
2005152041.tif 000005
【図４】
2005152041.tif 000006